(57)【要約】【課題】組付後の棒状体の位置調整を不可能とするとともに、流下通路の前後幅を安定させる。【解決手段】ベース２１は、ピン後端支持孔２５を有し、遊技球が流下可能な遊技領域に固定的に設けられる。カバー２２は、ピン前端支持孔を有し、ベース２１の前方に対向配置される。壁部３５は、カバー２２からベース２１に向かって突出し、壁部３５には、ベース２１に固定されるネジ孔形成部４８が設けられる。金属ピン（棒状体）２３は、ピン後端支持孔２５に支持される後端と、ピン前端支持孔に支持される前端とを有し、ピン後端支持孔２５からピン前端支持孔へ直線状に延びる。ネジ孔形成部４８をベース２１に固定することにより、壁部３５は、ベース２１とカバー本体３３との間に、金属ピン２３によって誘導された遊技球が流下可能な流下通路４７を区画する。カバー本体３３とベース２１との離間距離である流下通路４７の前後幅は、壁部３５の突出高さによって規定される。【選択図】図４
2020092833.tif 000002
【特許請求の範囲】
【請求項１】
遊技球が流下可能な遊技領域に設けられる後側の面構成部を有する後面部材と、
前記後側の面構成部の前方に対向配置される前側の面構成部を有する前面部材と、
前記後側の面構成部及び前記前側の面構成部の一方の面構成部から他方の面構成部に向かって突出する壁部と、
前記壁部に設けられ、前記他方の面構成部に固定される固定部と、
前記後面部材側から前記前面部材側へ延びるように配置され、前記遊技領域を流下する遊技球と当接して該遊技球の流下方向を変化可能とする棒状体と、を備え、
前記固定部を前記他方の面構成部に固定することにより、前記壁部は、前記後面部材と前記前面部材との間に、前記棒状体との当接に基づいて流下方向が変化する遊技球が流下可能な流下通路を区画し、
前記前面部材と前記後面部材との離間距離である前記流下通路の前後幅は、前記壁部によって規定される
ことを特徴とする遊技機。
【請求項２】
請求項１に記載の遊技機であって、
前記前面部材と前記後面部材とは、遊技球を１球ずつ通過可能に離間する１対の前記棒状体の各前端と各後端とを支持する１対の棒状体前端支持部と１対の棒状体後端支持部とをそれぞれ有し、
前記流下通路は、遊技球が１球ずつ通過可能な通過口に向けて遊技球を流下可能であり、
前記壁部は、前記１対の棒状体の間を通過した遊技球と当接して当該遊技球を前記通過口へ誘導するように相対向する当接面を各々が有する１対の案内壁部を含み、
前記１対の棒状体と前記１対の案内壁部の各上端との間隙は、遊技球の外径以下である
ことを特徴とする遊技機。
【発明の詳細な説明】
【技術分野】
【０００１】
本発明は、遊技ホールなどの遊技場に設置される遊技機に関する。
【背景技術】
【０００２】
特許文献１には、始動通過口の下方に配置される入賞口を、遊技盤に取り付けられる基体部材と基体部材の前面側を被覆する被覆板との間に形成された上面開口によって構成し、この入賞口の上端側に、入賞口への打玉の入賞を規制する２本の規制ピン（玉規制部材）を取り付けた弾球遊技機が記載されている。規制ピンは、基体部材側に形成された保持穴部と被覆板側に形成された保持穴部とに規制ピンの両端部がそれぞれ嵌合保持されることで、基体部材と被覆板との間に架設して取り付けられている。規制ピンは、その前端側が被覆板によって被覆された状態にあるため、ハンマー等の外力が直接的にかかるのを防止して位置調整が不可能な構造となっている。また、特許文献１には、遊技球が通過する基体部材と被覆板との間の前後の間隙を規制ピンによって規定している状態が図示されている。
【先行技術文献】
【特許文献】
【０００３】
【特許文献１】特開平８−２９４５６３号公報
【発明の概要】
【発明が解決しようとする課題】
【０００４】
特許文献１の構造では、基体部材と被覆板との前後の離間距離（遊技球が流下する流下通路の前後幅）を規制ピン（棒状体）によって規定している。しかし、保持穴部の大きさ（径及び深さ）の寸法精度には限界があるため、流下通路の前後幅を安定させることが難しい。
【０００５】
そこで本発明は、流下通路の前後幅を安定させるとともに、組付後の棒状体の当接に基づいて誘導される遊技球の流下の安定性の向上を図ることが可能な構造を備えた遊技機の提供を目的とする。
【課題を解決するための手段】
【０００６】
上記目的を達成するため、本発明の第１の態様の遊技機は、遊技球が流下可能な遊技領域に設けられる後側の面構成部を有する後面部材と、後側の面構成部の前方に対向配置される前側の面構成部を有する前面部材と、後側の面構成部及び前側の面構成部の一方の面構成部から他方の面構成部に向かって突出する壁部と、壁部に設けられ、他方の面構成部に固定される固定部と、後面部材側から前面部材側へ延びるように配置され、遊技領域を流下する遊技球と当接して該遊技球の流下方向を変化可能とする棒状体と、を備える。固定部を他方の面構成部に固定することにより、壁部は、後面部材（後側の面構成部）と前面部材（前側の面構成部）との間に、棒状体との当接に基づいて流下方向が変化する遊技球が流下可能な流下通路を区画する。前面部材（前側の面構成部）と後面部材（後側の面構成部）との離間距離である流下通路の前後幅は、壁部によって規定される。
【０００７】
壁部が他方の面部材の平面部（他方の面部材の平坦面）と直交するように壁部の端面（他方の面部材に向かって突出する対向面）を他方の面部材の上記平坦面に突き当てた状態で、壁部の固定部を他方の面部材に固定してもよい。
【０００８】
本発明の第２の態様は、第１の態様の遊技機であって、前面部材と後面部材とは、遊技球を１球ずつ通過可能に離間する１対の棒状体の各前端と各後端とを支持する１対の棒状体前端支持部と１対の棒状体後端支持部とをそれぞれ有する。流下通路は、遊技球が１球ずつ通過可能な通過口に向けて遊技球を流下可能である。壁部は、１対の棒状体の間を通過した遊技球と当接して当該遊技球を通過口へ誘導するように相対向する当接面を各々が有する１対の案内壁部を含む。１対の棒状体と１対の案内壁部の各上端との間隙は、遊技球の外径以下である。
【０００９】
１対の棒状体は、左右方向に略並行となるような離間とする１対としてもよく、上下方向又は斜め方向に略並行となるような離間とする１対としてもよい。
【発明の効果】
【００１０】
本発明の遊技機によれば、流下通路の前後幅を安定させるとともに、組付後の棒状体の当接に基づいて誘導される遊技球の流下の安定性の向上を図ることができる。
【図面の簡単な説明】
【００１１】
【図１】本発明に係る遊技機の外観斜視図である。
【図２】遊技盤の正面図である。
【図３】入賞ユニットの前面図である。
【図４】入賞ユニットを右斜め前方から視た斜視図である。
【図５】入賞ユニットを右斜め後方から視た斜視図である。
【図６】入賞ユニットの分解斜視図である。
【図７】ベースを取外した入賞ユニットを右斜め後方から視た斜視図である。
【図８】カバーを取外した入賞ユニットを右斜め前方から視た斜視図である。
【図９】入賞ユニットの上面図である。
【図１０】入賞ユニットの右側面図である。
【図１１】ベースを取外した入賞ユニットの後面図である。
【図１２】ベースの前面図である。
【図１３】金属ピンの保持状態を示す側断面図である。
【図１４】金属ピンの他の保持状態を示す側断面図である。
【図１５】金属ピンのさらに他の保持状態を示す側断面図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。また、以下では、遊技機（パチンコ機）１に対して遊技者側を前方として、また遊技者から視た左右を左右方向として説明する。
【００１３】
図１に示すように、遊技機１は、遊技場の島設備に設置される矩形枠状の外枠２と、外枠２の左枠部に図示略の蝶番により垂直軸回りに開閉自在に取り付けられる内枠３と、内枠３に装着され、各種要素が組み付けられる図２に示す遊技盤５と、遊技盤５の前側にあって、内枠３の左枠部に蝶番４により垂直軸回りに開閉自在に取り付けられ、遊技盤５の前面を遊技者が透視し得るガラス板６１を嵌め込んだガラス枠６と、遊技盤５の後側に設けられ賞球や貸球等の遊技球を払出可能な図示略の払出装置と、ガラス枠６の下部に設けられ、払出装置から払い出される遊技球を貯留するための上受皿部７と、ガラス枠６の下部裏側に設けられ上受皿部７に貯留されている遊技球を導入して遊技盤５の前面に形成される遊技領域５１（図２参照）へ向けて発射するための図示略の発射装置と、上受皿部７に遊技球が満杯になった際、溢れ球を導入可能な下受皿部８と、ガラス枠６の前面右下部に設けられ上受皿部７に貯留された遊技球を発射装置によって遊技領域５１へ打ち出す際に操作される発射ハンドル９と、ガラス枠６の上部に設けられ遊技状況に応じた効果音を出力するスピーカ１０と、ガラス枠６に設けられ遊技状況に応じて点灯及び点滅する照明演出を行う電飾装置１１と、遊技盤５の後側に設置される表示装置１２（図２に破線で表示）と、遊技盤５の裏側に設置され、遊技進行及び遊技演出を制御するためのマイクロコンピュータにより構成される図示略の制御装置等を備える。
【００１４】
表示装置１２は、遊技盤５の後側に設置され、例えば液晶ディスプレイから構成されることで、ガラス枠６のガラス板６１を透して遊技者が視認可能な遊技領域５１の略中央部分に遊技に係わる情報である各種キャラクタや左列、中列、右列の３列の数字等で構成される図示略の演出図柄を前述の特別図柄の変動表示、及び停止表示と同期させるように変動、停止表示すると共に、そのときの遊技進行に応じた動画を表示することによって種々の演出を行う。
【００１５】
図２に示すように、遊技盤５は、アクリル樹脂等の合成樹脂板により正面視略方形に形成されると共に、前面には、内側ガイドレール５２及び外側ガイドレール５３によって包囲される略円形の遊技領域５１が形成される。
【００１６】
遊技領域５１には、表示装置１２の周囲を装飾する枠状の装飾枠１３と、遊技領域５１に打ち込まれた遊技球の流下方向を変化させる多数の遊技釘１４及び単一の風車１５と、遊技領域５１を流下する遊技球のうち装飾枠１３の左部に設けられたワープ孔１３１に進入した遊技球を導入し、当該遊技球を左右及び前後方向へ転動させる演出を行わせるステージ１６と、当該ステージ１６の下方にあって、遊技領域５１を流下する遊技球及びステージ１６の前側から落下した遊技球が入賞可能な始動入賞口（通過口）１７を備える入球ユニット２０と、遊技領域５１の右領域（装飾枠１３の右側の領域）にあって、遊技球が通過可能なスルーチャッカ１８と、遊技球の始動入賞口１７への入賞を契機に行われる抽選の結果に基づいて遊技状態が通常の遊技から遊技者にとって有利な特別遊技状態に移行した際、遊技領域５１の右領域を流下する遊技球が大入賞口に入賞不能な閉鎖状態から大入賞口に入賞可能な開放状態に変化可能な図示略のアタッカーと、特別遊技状態終了後に遊技状態が特定遊技状態に移行した場合、右打ち遊技球が入賞不能な閉鎖状態から入賞可能な開放状態に変化可能な図示略の電チューと、遊技領域５１に打ち込まれた遊技球のうち入賞しなかったアウト球を遊技盤５の裏面側に排出するアウト口１９等が設けられる。
【００１７】
上受皿部７に貯留された遊技球は、発射ハンドル９が回転操作されることにより、発射装置から発射されて、内外のガイドレール５２、５３により左斜め上方へ誘導されて、遊技領域５１の左上部から遊技領域５１内に打ち込まれることによって所定の遊技が行われる。
【００１８】
図３〜図１２に示すように、入球ユニット２０は、遊技盤５の前面に固定され左右方向に沿って略鉛直に起立する平板状のベース（後面部材、後側の面構成部）２１と、ベース２１の前面に固定されるカバー２２と、ベース２１及びカバー２２によって両端が保持される左右１対の金属ピン（棒状体）２３と、ベース２１及びカバー２２の少なくとも一方に固定される球検知センサ（遊技球検出手段）２４とを備える。ベース２１とカバー２２とは合成樹脂製の硬質な部品であり、例えば射出成形によって形成される。金属ピン２３は、遊技領域５１を流下する遊技球と当接して該遊技球の流下方向を変化可能とする。
【００１９】
なお、金属ピン２３に代えて樹脂製のピンを棒状体として用いてもよい。また、本実施形態では、１対の金属ピン２３を左右方向に略並行となるように離間させているが、１対の金属ピンを、上下方向又は斜め方向に略並行となるように離間させてもよい。また、ベース２１の全域を後側の面構成部とせず、ベース２１の一部を後側の面構成部としてもよい。
【００２０】
ベース２１には、前方に開口する左右１対の有底のピン後端支持孔（後側のピン支持孔、棒状体後端支持部）２５と、ピン後端支持孔２５の下方で前後に貫通するセンサ支持孔２６と、センサ支持孔２６の下方で前後に貫通する球通過孔２７と、センサ支持孔２６の左側と右下方とに配置されて少なくとも前方に開口する左右１対のカバー位置決め孔２８と、左のカバー位置決め孔２８の下方と右のカバー位置決め孔２８の上方とに配置されて前後に貫通する左右１対のカバー取付孔２９と、前後に貫通する左右１対のベース取付孔３０と、球通過孔２７の下部の側方及び下方から後方へ突出する球ガイド壁４５とが設けられている。センサ支持孔２６と球通過孔２７とは上下に連続する開口孔であり、右のカバー位置決め孔２８は前後に貫通し、左のカバー位置決め孔２８は貫通せず有底である。左のカバー取付孔２９はセンサ支持孔２６の左下方に配置され、右のカバー取付孔２９はセンサ支持孔２６の右上方に配置される。
【００２１】
左右のピン後端支持孔２５の前面周縁では、円筒状の左右のベース前突出部（ベース２１の前側の隆起部）３１がベース２１の前面から前方へ一体的に突出（隆起）し、左右のピン後端支持孔２５の後方では、円柱状の左右のベース後突出部（ベース２１の後側の隆起部）３２がベース２１の後面から後方へ一体的に突出（隆起）している。ベース２１からの突出高さは、ベース後突出部３２の方がベース前突出部３１よりも高い（図１３参照）。
【００２２】
カバー（前面部材）２２には、平板状のカバー本体（前側の面構成部）３３と、カバー本体３３に形成されて後方に開口する左右１対の有底のピン前端支持孔（前側のピン支持孔、棒状体前端支持部）３４と、ピン前端支持孔３４の下方でカバー本体３３の後面から後方へ一体的に突出する壁部３５と、壁部３５の後面から後方へ一体的に突出してベース２１の左右のカバー位置決め孔２８に挿入される左右１対のカバー位置決め突起３６とが設けられている。左右のピン前端支持孔３４の後面周縁では、円柱状の左右のカバー後突出部（カバー２２の後側の隆起部）４６がカバー本体３３の後面から後方へ一体的に突出（隆起）している。なお、カバー本体３３の前面は、ガラス板６１との干渉を回避するため、カバー前突出部（カバー２２の前側の隆起部）を有さない平坦面状である。
【００２３】
壁部３５には、左右１対のネジ孔形成部（固定部）４８が一体的に設けられ、ネジ孔形成部４８には、左右のカバー位置決め突起３６を左右のカバー位置決め孔２８に挿入したカバー位置決め状態でベース２１の左右のカバー取付孔２９と連通する有底の雌ネジ孔３７が形成されている。カバー位置決め状態で左右のカバー取付孔２９に後方から図示略の左右のネジをそれぞれ挿入し、左右の雌ネジ孔３７に各ネジを螺合して締め付けることによって、カバー２２がベース２１に固定されたカバー取付状態となる。
【００２４】
カバー取付状態におけるベース２１とカバー２２との間の離間距離は、壁部３５の後端がベース２１の前面に当接することによって規定される。すなわち、カバー本体３３からの壁部３５の突出高さによって、後述する球進入可能空間４１の前後幅が決まる。ベース２１とカバー２２との前後幅は、遊技球が１球ずつ円滑に流下可能な距離（遊技球の直径よりも僅かに長い距離）に設定される。
【００２５】
壁部３５は、左右に離間し並行して略鉛直に延びる左右の下縦壁部３８と、下方へ膨らむように円弧状に湾曲して左右の下縦壁部３８の下端を繋ぐ底壁部３９と、左右の下縦壁部３８の上端から左右のピン前端支持孔３４に向かってそれぞれ延びる左右の上縦壁部（案内壁部）４０とから構成される。左右の下縦壁部３８の間、及び左右の上縦壁部４０の間は、それぞれ遊技球が１球ずつ通過可能な所定距離（遊技球の直径よりも長く遊技球の直径の２倍よりも短い距離）に設定され、カバー取付状態において、壁部３５は、ベース２１とカバー本体３３との間に、金属ピン２３との当接に基づいて流下方向が変化する遊技球が流下可能な流下通路４７を区画する。また、下縦壁部３８と底壁部３９と上縦壁部４０とは、カバー本体３３からの突出高さが略等しく設定される。
【００２６】
本実施形態では、左右の下縦壁部３８の下端は底壁部３９の左右の上端と連続し、左右の下縦壁部３８の上端は左右の上縦壁部４０の下端と連続しているが、下縦壁部３８と底壁部３９との間、及び／又は下縦壁部３８と上縦壁部４０との間に、遊技球の直径以下又は未満の間隙を設けてもよい。
【００２７】
左右の下縦壁部３８と底壁部３９とは、ベース２１とカバー本体３３との間に、上方へ開口するＵ状（コ字状）の球進入可能空間（遊技球が上方から流下して１球ずつ進入可能な空間）４１（図７及び図１１参照）を区画し、球進入可能空間４１の上部が始動入賞口１７を構成する。すなわち、球進入可能空間４１は流下通路４７の一部（下部）であり、始動入賞口１７は球進入可能空間４１の一部（上部）である。
【００２８】
左右の下縦壁部３８の各内面（相対向する面）には、球検知センサ２４の前部の左右の側部と係合するセンサ係合溝４２が形成され、ベース２１にはセンサ支持孔２６の後方へ延びるセンサ抜け止め片４３が一体的に設けられている。左右のセンサ係合溝４２に球検知センサ２４の前部を後方から挿入して係合し、センサ支持孔２６に球検知センサ２４の後部を挿入して、カバー２２をベース２１に固定する（カバー取付状態とする）ことにより、球検知センサ２４がベース２１及びカバー２２に組付けられたセンサ組付け状態となる。センサ組付け状態において、球検知センサ２４の前方への移動はカバー本体３３が、後方への移動はセンサ抜け止め片４３が、上下左右及び回転方向への移動はセンサ支持孔２６及びセンサ係合溝４２がそれぞれ規制し、球検知センサ２４が所定位置に保持される。
【００２９】
球検知センサ２４の前部には、遊技球が１球ずつ通過可能な球検知孔４４が設けられ、球検知センサ２４は、遊技球が球検知孔４４を通過する毎にこれを検知する。球検知孔４４は、センサ組付け状態で始動入賞口１７に配置され、球検知センサ２４は、始動入賞口１７へ進入（入賞）した遊技球を検知する。
【００３０】
左右の金属ピン２３は、遊技釘１４の軸径（約３ｍｍ）よりも細い軸径を有し、その前端を左右のピン前端支持孔３４へ挿入し、後端を左右のピン後端支持孔２５へ挿入することによって、カバー２２及びベース２１に保持される。上述したように、ベース２１とカバー２２との前後幅は壁部３５によって規定され、保持された金属ピン２３の前後方向への移動は、完全に阻止されず、遊技に影響を与えない範囲（移動を実質的に無視できる範囲）で僅かに許容された状態（遊嵌状態）となる。
【００３１】
左右のピン前端支持孔３４と左右のピン後端支持孔２５とは、左の金属ピン２３が左のピン後端支持孔２５から左斜め前上方へ傾斜して延び、右の金属ピン２３が右のピン後端支持孔２５から右斜め前上方へ傾斜して延びるように配置されている。すなわち、左右の金属ピン２３は水平方向に対して前上方へ傾斜し、且つ左右の金属ピン２３の間の距離（離間幅、左右幅）は、後端から前端に向かって徐々に拡がる。左右の金属ピン２３の左右幅は、遊技球が１球ずつ通過可能な距離（例えば、ピン後端支持孔２５の中心間距離が１３ｍｍ）に設定されている。また、鉛直面（面構成部）に対する金属ピン２３の傾斜角度は、出荷時において遊技盤５の前面に対して３度〜５度となるように立設される遊技釘１４と同様の傾斜角度に設定される。
【００３２】
左右の金属ピン２３が水平方向に対して前上方へ傾斜しているので、落下して金属ピン２３に接触した遊技球がベース２１の前面によって受け止められ易くなり、遊技球が左右の金属ピン２３の間を通過し易くなる。また、左右の金属ピン２３の左右幅が後端から前端に向かって徐々に拡がるので、左右の金属ピンが略平行である場合や、後端から前端に向かって左右幅が徐々に狭まる場合に比べて、遊技球が金属ピン２３の間を通過し易い設定であるとの印象を遊技者に与えることができる。
【００３３】
図１３に示すように、金属ピン２３は前端から後端まで軸径が略等しい円柱体であり、ピン前端支持孔３４は略水平に延び、ピン後端支持孔２５は金属ピン２３の傾斜に合わせて傾斜している。なお、図１４に示すように、ピン前端支持孔３４をピン後端支持孔２５と同様に傾斜させてもよい。また、図１５に示すように、金属ピン２３の一端側（図１５の例では後端側）を先細りするテーパ形状（錐体状）としてもよく、係るテーパ形状に合わせて一方のピン支持孔（図１５の例ではピン後端支持孔２５）をテーパ孔としてもよい。金属ピン２３の一端側をテーパ形状とし、一方のピン支持孔をテーパ孔とすることにより、金属ピン２３の一端部をピン支持孔の内面に密着させることができる。
【００３４】
図１１に示すように、左右の上縦壁部４０の上端は左右の金属ピン２３の略鉛直下方にそれぞれ配置される。左右における金属ピン２３と上縦壁部４０の上端との距離は、遊技球が通過不可能な距離（０ｍｍ以上、遊技球の直径（１１ｍｍ）以下又は未満）に設定され、左右の金属ピン２３の間を通過した遊技球は、壁部３５によって始動入賞口１７へ必ず導入される。また、金属ピン２３を通過しない遊技球の始動入賞口１７への進入は、壁部３５によって完全に阻止される。
【００３５】
球検知センサ２４の球検知孔４４の中心は、左右の金属ピン２３の左右幅の中心に対して左側又は右側（本実施形態では右側）にずれて配置され、これに合わせて左右の上縦壁部４０が湾曲状に傾斜する。球検知孔４４の中心と左右の金属ピン２３の左右幅の中心とがずれているので、両者が一致する場合（遊技球が鉛直下方に落下する場合）に比べて球検知孔４４を通過する遊技球の速度を減速させることができ、球検知センサ２４による遊技球の検出精度を高めることができる。
【００３６】
このように、ベース２１は、ピン後端支持孔２５を有し、遊技球が流下可能な遊技領域５１に固定的に設けられる。カバー２２は、ピン前端支持孔３４を有し、ベース２１の前方に対向配置される。壁部３５は、カバー２２からベース２１に向かって突出し、壁部３５には、ベース２１に固定されるネジ孔形成部４８が設けられる。金属ピン２３は、ピン後端支持孔２５に支持される後端と、ピン前端支持孔３４に支持される前端とを有し、ピン後端支持孔２５からピン前端支持孔３４へ直線状に延びる。ネジ孔形成部４８をベース２１に固定することにより、壁部３５は、ベース２１とカバー２２（カバー本体３３）との間に、金属ピン２３によって誘導された遊技球が流下可能な流下通路４７を区画する。カバー本体３３とベース２１との離間距離である流下通路４７の前後幅は、壁部３５の突出高さによって規定される。
【００３７】
また、ベース２１とカバー２２とは、遊技球を１球ずつ通過可能に離間する１対の金属ピン２３の各前端と各後端とを支持する１対のピン後端支持孔２５と１対のピン前端支持孔３４とをそれぞれ有し、流下通路４７は、遊技球が１球ずつ通過可能な始動入賞口１７を一部に有する。壁部３５は、１対の上縦壁部４０を含む。１対の上縦壁部４０の内面は、１対の金属ピン２３の間を通過した遊技球と当接して当該遊技球を始動入賞口１７へ誘導するように相対向する当接面を構成する。１対の金属ピン２３と１対の上縦壁部４０の各上端との間隙は、遊技球の外径以下又は未満である。
【００３８】
入球ユニット２０は、カバー２２のセンサ係合溝４２に球検知センサ２４の前部を係合し、ベース２１のセンサ支持孔２６に球検知センサ２４の後部を挿通し、カバー２２のピン前端支持孔３４に金属ビン２３の前端を挿入し、ベース２１のピン後端支持孔２５に金属ピン２３の後端を挿入し、カバー２２のカバー位置決め突起３６をベース２１のカバー位置決め孔２８に挿入し、壁部３５がベース２１の平坦面状の前面と直交するように（壁部３５が後面部材の平面部と直交するように）、壁部３５（下縦壁部３８、底壁部３９及び上縦壁部４０）の後端面（ベース２１に向かって後方へ突出する対向面）４９をベース２１の前面５０に突き当てた状態で、ベース２１のカバー取付孔２９に後方からネジを挿入してカバー２２の雌ネジ孔３７に螺合して締め付けることによってユニット化された後、ベース２１のベース取付孔３０を前方から挿通する図示略のネジによって遊技盤５に固定される。
【００３９】
遊技領域５１に発射され、左右の金属ピン２３の間を通過して始動入賞口１７へ進入した遊技球は、球検知センサ２４の球検知孔４４を通過することによって入賞検知された後、ベース２１の球通過孔２７から球ガイド壁４５の内側を流下し、遊技盤５の後方の球通路（図示略）へ流下して回収される。なお、入球ユニット２０に球検知センサ２４を組み込まず、入球ユニット２０の下流（後方）の球通路に球検知センサを配置してもよい。
【００４０】
本実施形態によれば、金属ピン２３の後端はベース２１のピン後端支持孔２５に支持され、金属ピン２３の前端はピン前端支持孔３４に支持されるので、ハンマー等で外力を加えることによる金属ピン２３の位置調整が不可能な構造となる。
【００４１】
また、カバー本体３３とベース２１との離間距離である流下通路４７の前後幅は、金属ピン２３ではなく壁部３５の突出高さによって規定されるので、流下通路４７の前後幅を安定させることができる。さらに、壁部３５がベース２１と直交するように壁部３５の後端面４９をベース２１の前面５０に突き当てた状態でカバー２２をベース２１に固定しているので、流下通路４７の前後幅（カバー本体３３とベース２１との離間距離）の規定を安定させることができる。
【００４２】
また、ベース２１にベース前突出部３１及びベース後突出部３２を、カバー本体３３にカバー後突出部４６をそれぞれ設けているので、ベース２１やカバー本体３３の全体を厚肉化することなく、ピン後端支持孔２５やピン前端支持孔３４を十分な深さに形成することができる。なお、ベース前突出部３１及びベース後突出部３２の一方を設けてもよく、カバー後突出部４６に代えて又は加えてカバー前突出部を設けてもよい。
【００４３】
また、金属ピン２３の後端や前端をピン後端支持孔２５やピン前端支持孔３４へ挿入する際に、ベース前突出部３１やカバー後突出部４６を目印にすることができ、金属ピン２３の挿入作業性が向上する。
【００４４】
なお、上記実施形態ではカバー（前面部材）２２に壁部３５を設けたが、ベース（後面部材、後側の面構成部）に壁部を設けてもよい。この場合、壁部がカバー本体の平坦面状の後面と直交するように（壁部が前面部材の平面部（前側の面構成部）と直交するように）壁部の前端面（カバー本体に向かって前方へ突出する対向面）をカバー本体の後面に突き当てた状態で、カバーをベースに固定すればよい。
【００４５】
また、遊技盤５の前面に後面部材としてベース２１を固定しているが、ベース２１を省略し、遊技盤５を後面部材としてもよい。また、始動入賞口１７に本発明の構造を適用しているが、他の場所（例えばワープ孔１３１やゲートや一般入賞口など）に本発明の構造を適用してもよい。
【００４６】
以上、本発明者によってなされた発明を適用した実施形態について説明したが、上記実施形態は、技術的に好ましい種々の限定を加えた本発明の好適な具体例であり、本発明の範囲は、上記の説明において特に本発明を限定する旨の記載がない限り、これらの形態に限られるものではない。また、上記の説明で用いる図面は、図示の便宜上、部材ないし部分の縦横の縮尺は実際のものとは異なる模式図である。
【００４７】
また、本発明は上記実施形態に限定されるものではなく、本発明の目的を達成できる範囲での変形、改良等は本発明に含まれるものである。
【００４８】
また、上記各実施の形態においては、パチンコ機である遊技機に本発明を適用した場合について説明したが、これに限らず、本発明の主旨を逸脱しない範囲で他のアミューズメントゲーム機等の遊技機にも適用可能である。
【符号の説明】
【００４９】
１：遊技機、２：外枠、３：内枠、４：蝶番、５：遊技盤、６：ガラス枠、７：上受皿部、８：下受皿部、９：発射ハンドル、１０：スピーカ、１１：電飾装置、１２：表示装置、１３：装飾枠、１４：遊技釘、１５：風車、１６：ステージ、１７：始動入賞口（通過口）、１８：スルーチャッカ、１９：アウト口、２０：入球ユニット、２１：ベース（後面部材、後側の面構成部）、２２：カバー（前面部材）、２３：金属ピン（棒状体）、２４：球検知センサ、２５：ピン後端支持孔（棒状体後端支持部）、２６：センサ支持孔、２７：球通過孔、２８：カバー位置決め孔、２９：カバー取付孔、３０：ベース取付孔、３１：ベース前突出部、３２：ベース後突出部、３３：カバー本体（前側の面構成部）、３４：ピン前端支持孔（棒状体前端支持部）、３５：壁部、３６：カバー位置決め突起、３７：雌ネジ孔、３８：下縦壁部、３９：底壁部、４０：上縦壁部（案内壁部）、４１：球進入可能空間、４２：センサ係合溝、４３：センサ抜け止め片、４４：球検知孔、４５：球ガイド壁、４６：カバー後突出部、４７：流下通路、４８：ネジ孔形成部（固定部）、４９：壁部の後端面、５０：ベースの前面、５１：遊技領域、５２：内側ガイドレール、５３：外側ガイドレール、６１：ガラス板、１３１：ワープ孔
【図１】
2020092833.tif 000003
【図２】
2020092833.tif 000004
【図３】
2020092833.tif 000005
【図４】
2020092833.tif 000006
【図５】
2020092833.tif 000007
【図６】
2020092833.tif 000008
【図７】
2020092833.tif 000009
【図８】
2020092833.tif 000010
【図９】
2020092833.tif 000011
【図１０】
2020092833.tif 000012
【図１１】
2020092833.tif 000013
【図１２】
2020092833.tif 000014
【図１３】
2020092833.tif 000015
【図１４】
2020092833.tif 000016
【図１５】
2020092833.tif 000017